【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
コンテンツのプレイリストに設定される、プレイリストの優先度を表す第１の重みと、プレイリストに登録されているコンテンツのそれぞれに設定される、コンテンツの優先度を表す第２の重みに基づいてコンテンツの再生を制御する情報処理装置において、
複数のプレイリストが選択された場合、選択された複数の前記プレイリストに設定されている前記第１の重みを更新するとともに、選択された複数の前記プレイリストに登録されているコンテンツに設定されている前記第２の重みを、それぞれのコンテンツを登録しているプレイリストの数に応じて、または、指定される再生方法に応じて更新する重み設定手段と、
前記重み設定手段により設定された前記第１および第２の重みに基づいて、コンテンツの再生を制御する再生制御手段と
を備えることを特徴とする情報処理装置。
【請求項２】
前記重み設定手段は、前記再生方法として、選択された複数の前記プレイリストに登録されているコンテンツの和集合を対象として再生を行うことが指示された場合、選択された複数の前記プレイリストに登録されている全てのコンテンツに設定されている前記第２の重みを更新する
ことを特徴とする請求項１に記載の情報処理装置。
【請求項３】
前記重み設定手段は、前記再生方法として、選択された複数の前記プレイリストに重複して登録されているコンテンツを対象として再生を行うことが指示された場合、重複して登録されているコンテンツに設定されている前記第２の重みを更新する
ことを特徴とする請求項１に記載の情報処理装置。
【請求項４】
前記重み設定手段は、前記再生制御手段による制御により再生中のコンテンツの重みを更新することが指示された場合、その指示の内容に応じて、再生中の前記コンテンツが登録されているプレイリストに設定される前記第１の重みを増加または減少させるように更新し、更新された前記第１の重みに基づいて、再生中の前記コンテンツが登録されているプレイリストに登録されている他のコンテンツの重みも更新する
ことを特徴とする請求項１に記載の情報処理装置。
【請求項５】
コンテンツのプレイリストに設定される、プレイリストの優先度を表す第１の重みと、プレイリストに登録されているコンテンツのそれぞれに設定される、コンテンツの優先度を表す第２の重みに基づいてコンテンツの再生を制御する情報処理装置の情報処理方法において、
複数のプレイリストが選択された場合、選択された複数の前記プレイリストに設定されている前記第１の重みを更新するとともに、選択された複数の前記プレイリストに登録されているコンテンツに設定されている前記第２の重みを、それぞれのコンテンツを登録しているプレイリストの数に応じて、または、指定される再生方法に応じて更新する重み設定ステップと、
前記重み設定ステップの処理により設定された前記第１および第２の重みに基づいて、コンテンツの再生を制御する再生制御ステップと
を含むことを特徴とする情報処理方法。
【請求項６】
コンテンツのプレイリストに設定される、プレイリストの優先度を表す第１の重みと、プレイリストに登録されているコンテンツのそれぞれに設定される、コンテンツの優先度を表す第２の重みに基づいてコンテンツの再生を制御する処理をコンピュータに実行させるプログラムにおいて、
複数のプレイリストが選択された場合、選択された複数の前記プレイリストに設定されている前記第１の重みを更新するとともに、選択された複数の前記プレイリストに登録されているコンテンツに設定されている前記第２の重みを、それぞれのコンテンツを登録しているプレイリストの数に応じて、または、指定される再生方法に応じて更新する重み設定ステップと、
前記重み設定ステップの処理により設定された前記第１および第２の重みに基づいて、コンテンツの再生を制御する再生制御ステップと
を含むことを特徴とするプログラム。
【請求項７】
ネットワークに接続して前記プレイリストの送受信を行う通信手段をさらに備える
ことを特徴とする請求項１に記載の情報処理装置。
【手続補正２】
【補正対象書類名】明細書
【補正対象項目名】００１２
【補正方法】変更
【補正の内容】
【００１２】
本発明の情報処理装置は、コンテンツのプレイリストに設定される、プレイリストの優先度を表す第１の重みと、プレイリストに登録されているコンテンツのそれぞれに設定される、コンテンツの優先度を表す第２の重みに基づいてコンテンツの再生を制御する情報処理装置であって、複数のプレイリストが選択された場合、選択された複数のプレイリストに設定されている第１の重みを更新するとともに、選択された複数のプレイリストに登録されているコンテンツに設定されている第２の重みを、それぞれのコンテンツを登録しているプレイリストの数に応じて、または、指定される再生方法に応じて更新する重み設定手段と、重み設定手段により設定された第１および第２の重みに基づいて、コンテンツの再生を制御する再生制御手段とを備えることを特徴とする。
【手続補正３】
【補正対象書類名】明細書
【補正対象項目名】００１３
【補正方法】変更
【補正の内容】
【００１３】
重み設定手段は、再生方法として、選択された複数のプレイリストに登録されているコンテンツの和集合を対象として再生を行うことが指示された場合、選択された複数のプレイリストに登録されている全てのコンテンツに設定されている第２の重みを更新するようにすることができる。
【手続補正４】
【補正対象書類名】明細書
【補正対象項目名】００１４
【補正方法】変更
【補正の内容】
【００１４】
重み設定手段は、再生方法として、選択された複数のプレイリストに重複して登録されているコンテンツを対象として再生を行うことが指示された場合、重複して登録されているコンテンツに設定されている第２の重みを更新するようにすることができる。
【手続補正５】
【補正対象書類名】明細書
【補正対象項目名】００１６
【補正方法】変更
【補正の内容】
【００１６】
本発明の情報処理方法は、コンテンツのプレイリストに設定される、プレイリストの優先度を表す第１の重みと、プレイリストに登録されているコンテンツのそれぞれに設定される、コンテンツの優先度を表す第２の重みに基づいてコンテンツの再生を制御する情報処理装置の情報処理方法であって、複数のプレイリストが選択された場合、選択された複数のプレイリストに設定されている第１の重みを更新するとともに、選択された複数のプレイリストに登録されているコンテンツに設定されている第２の重みを、それぞれのコンテンツを登録しているプレイリストの数に応じて、または、指定される再生方法に応じて更新する重み設定ステップと、重み設定ステップの処理により設定された第１および第２の重みに基づいて、コンテンツの再生を制御する再生制御ステップとを含むことを特徴とする。
【手続補正６】
【補正対象書類名】明細書
【補正対象項目名】００１７
【補正方法】変更
【補正の内容】
【００１７】
本発明のプログラムは、コンテンツのプレイリストに設定される、プレイリストの優先度を表す第１の重みと、プレイリストに登録されているコンテンツのそれぞれに設定される、コンテンツの優先度を表す第２の重みに基づいてコンテンツの再生を制御する処理をコンピュータに実行させるプログラムであって、複数のプレイリストが選択された場合、選択された複数のプレイリストに設定されている第１の重みを更新するとともに、選択された複数のプレイリストに登録されているコンテンツに設定されている第２の重みを、それぞれのコンテンツを登録しているプレイリストの数に応じて、または、指定される再生方法に応じて更新する重み設定ステップと、重み設定ステップの処理により設定された第１および第２の重みに基づいて、コンテンツの再生を制御する再生制御ステップとを含むことを特徴とする。
本発明の情報処理装置は、ネットワークに接続して前記プレイリストの送受信を行う通信手段をさらに備えるようにすることができる。
【手続補正７】
【補正対象書類名】明細書
【補正対象項目名】００１８
【補正方法】変更
【補正の内容】
【００１８】
本発明の情報処理装置および方法、並びにプログラムにおいては、複数のプレイリストが選択された場合、選択された複数のプレイリストに設定されている第１の重みが更新されるとともに、選択された複数のプレイリストに登録されているコンテンツに設定されている第２の重みが、それぞれのコンテンツを登録しているプレイリストの数に応じて、または、指定される再生方法に応じて更新される。また、設定された第１および第２の重みに基づいて、コンテンツの再生が制御される。
【手続補正８】
【補正対象書類名】明細書
【補正対象項目名】００２３
【補正方法】変更
【補正の内容】
【００２３】
請求項１に記載の情報処理装置は、コンテンツ（例えば、曲データ、静止画データ）のプレイリストに設定される、プレイリストの優先度を表す第１の重み（例えば、図１の重み（Ｗi））と、プレイリストに登録されているコンテンツのそれぞれに設定される、コンテンツの優先度を表す第２の重み（例えば、図１の重み（Ｑk））に基づいてコンテンツの再生を制御する情報処理装置（例えば、図１の情報処理装置１１）であって、複数のプレイリストが選択された場合、選択された複数の前記プレイリストに設定されている前記第１の重みを更新するとともに、選択された複数の前記プレイリストに登録されているコンテンツに設定されている前記第２の重みを、それぞれのコンテンツを登録しているプレイリストの数に応じて（例えば、１つのプレイリストに登録されるコンテンツには１、重複して複数のプレイリストに登録されるコンテンツには、その重複する数を設定するように）、または、指定される再生方法（例えば、和集合、共通部分を対象とする再生方法）に応じて更新する重み設定手段（例えば、図６の重み設定部６２）と、前記重み設定手段により設定された前記第１および第２の重みに基づいて、コンテンツの再生を制御する再生制御手段（例えば、図６の再生制御部６３）とを備えることを特徴とする。
【手続補正９】
【補正対象書類名】明細書
【補正対象項目名】００２４
【補正方法】変更
【補正の内容】
【００２４】
前記重み設定手段は、前記再生方法として、選択された複数の前記プレイリストに登録されているコンテンツの和集合を対象として再生を行うことが指示された場合、選択された複数の前記プレイリストに登録されている全てのコンテンツに設定されている前記第２の重みを更新する（例えば、図３の和集合に含まれるコンテンツに設定される重みを更新する）ようにすることができる。
【手続補正１０】
【補正対象書類名】明細書
【補正対象項目名】００２５
【補正方法】変更
【補正の内容】
【００２５】
前記重み設定手段は、前記再生方法として、選択された複数の前記プレイリストに重複して登録されているコンテンツを対象として再生を行うことが指示された場合、重複して登録されているコンテンツに設定されている前記第２の重みを更新する（例えば、図４の共通部分に含まれるコンテンツに設定される重みを更新する）ようにすることができる。
【手続補正１１】
【補正対象書類名】明細書
【補正対象項目名】００２７
【補正方法】変更
【補正の内容】
【００２７】
請求項５に記載の情報処理方法は、コンテンツ（例えば、曲データ、静止画データ）の
プレイリストに設定される、プレイリストの優先度を表す第１の重み（例えば、図１の重
み（Ｗi））と、プレイリストに登録されているコンテンツのそれぞれに設定される、コンテンツの優先度を表す第２の重み（例えば、図１の重み（Ｑk））に基づいてコンテンツの再生を制御する情報処理装置（例えば、図１の情報処理装置１１）の情報処理方法であって、複数のプレイリストが選択された場合、選択された複数の前記プレイリストに設定されている前記第１の重みを更新するとともに、選択された複数の前記プレイリストに登録されているコンテンツに設定されている前記第２の重みを、それぞれのコンテンツを登録しているプレイリストの数に応じて（例えば、１つのプレイリストに登録されるコンテンツには１、重複して複数のプレイリストに登録されるコンテンツには、その重複する数を設定するように）、または、指定される再生方法（例えば、和集合、共通部分を対象とする再生方法）に応じて更新する重み設定ステップ（例えば、図８のステップＳ１２，Ｓ１３）と、前記重み設定ステップの処理により設定された前記第１および第２の重みに基づいて、コンテンツの再生を制御する再生制御ステップ（例えば、図８のステップＳ１４）とを含むことを特徴とする。